(57)【要約】【課題】移動体の変位に伴うハーネスの破損を防止するとともに、装置本体の小型化を図ることができる画像形成装置を提供することを目的とする。【解決手段】画像形成装置（複合機１）は、画像を形成する画像形成部と、画像形成部を収容する装置本体２と、装置本体２に対して相対的に変位可能に配される移動体（原稿搬送装置９０）と、装置本体２と移動体とを電気的に接続するとともに、移動体の変位を吸収するための屈曲部１１３が形成されたハーネス１１０とを備えている。そして、この屈曲部１１３は、移動体に配されている。【選択図】図３
2011007891.tif 000002
【特許請求の範囲】
【請求項１】
画像を形成する画像形成部と、
画像形成部を収容する装置本体と、
装置本体に対して相対的に変位可能に配される移動体と、
装置本体と移動体とを電気的に接続するとともに、移動体の変位を吸収するための屈曲部が形成されたハーネスとを備え、
前記屈曲部が前記移動体に配されていることを特徴とする画像形成装置。
【請求項２】
前記移動体には、前記屈曲部のたるみを吸収するたるみ吸収機構が設けられていることを特徴とする請求項１に記載の画像形成装置。
【請求項３】
前記たるみ吸収機構は、
前記屈曲部が掛け回される滑車と、
前記滑車を付勢する付勢部材とを備えていることを特徴とする請求項２に記載の画像形成装置。
【請求項４】
前記移動体には、
前記ハーネスの端部が接続される第１接続部と、
前記ハーネスの端部と前記屈曲部の間の部位を前記移動体に固定する第１固定部とが設けられていることを特徴とする請求項１〜請求項３のいずれか１項に記載の画像形成装置。
【請求項５】
前記装置本体には、
前記ハーネスの端部が接続される第２接続部と、
前記ハーネスの端部と前記屈曲部の間の部位を前記装置本体または当該装置本体に固定される部材に固定する第２固定部とが設けられていることを特徴とする請求項１〜請求項４のいずれか１項に記載の画像形成装置。
【請求項６】
載置された原稿を読み取り可能な原稿読取部と、
前記原稿読取部に対して移動可能に設けられ、原稿を搬送しながら前記原稿読取部で読み取らせる原稿搬送装置とを備え、
前記移動体は、前記原稿搬送装置であることを特徴とする請求項１〜請求項５のいずれか１項に記載の画像形成装置。
【発明の詳細な説明】
【技術分野】
【０００１】
本発明は、装置本体と、装置本体に対して移動可能となる移動体（原稿読取部等）とを繋ぐハーネスを備えた画像形成装置に関する。
【背景技術】
【０００２】
従来、用紙に画像を形成する画像形成部を収容した装置本体と、装置本体の上側に揺動可能に設けられ、原稿に形成された画像を読み取る原稿読取装置とを備えた画像形成装置が知られている（特許文献１参照）。具体的に、この技術では、原稿読取装置で読み取った画像を装置本体内の制御基板に出力したり、装置本体から原稿読取装置内のモータ等に電力を供給するために、装置本体と原稿読取装置とがハーネスで繋がっている。
【０００３】
そして、この技術では、ハーネスの一部をＵ字状に折り曲げ、このＵ字状の屈曲部分を装置本体（詳しくは、原稿読取装置の揺動軸付近）に配置することで、原稿読取装置を装置本体から離すように揺動させたときには、Ｕ字状の屈曲部分がＬ字状に開いて、ハーネスに余分な張力が加わらないようにしてハーネスが破損するのを防止している。
【先行技術文献】
【特許文献】
【０００４】
【特許文献１】特開２００９−５８９４７号公報
【発明の概要】
【発明が解決しようとする課題】
【０００５】
ところで、一般に、装置本体に原稿読取装置を取り付けた複合機は、モデルの種類に応じて原稿読取装置を設けることなく装置本体単体にて販売されるものがある。装置本体のみをプリンタとして使用する場合には、自宅の部屋などの狭いスペースに配置して個人的に使用される場合が多いので、制御基板等を装置本体内に密集して配置して装置本体を小型化する必要がある。しかしながら、従来技術の構造であると、装置本体内にハーネスのＵ字状の屈曲部分を配置しているので、この屈曲部分と制御基板等が干渉しないように、制御基板等を別の空間に密集させなければならず、小型化することが困難となるといった問題があった。このような問題は、装置本体に原稿読取装置を揺動可能に配する構成だけでなく、装置本体に移動体が移動可能に取り付けられた構成の画像形成装置においても同様に生じる可能性がある。
【０００６】
そこで、本発明は、原稿読取装置等の移動体の変位に伴うハーネスの破損を防止するとともに、装置本体の小型化を図ることができる画像形成装置を提供することを目的とする。
【課題を解決するための手段】
【０００７】
前記課題を解決するため、本発明に係る画像形成装置は、画像を形成する画像形成部と、画像形成部を収容する装置本体と、装置本体に対して相対的に変位可能に配される移動体と、装置本体と移動体とを電気的に接続するとともに、移動体の変位を吸収するための屈曲部が形成されたハーネスとを備え、前記屈曲部が前記移動体に配されていることを特徴とする。
【０００８】
本発明によれば、ハーネスの屈曲部によって移動体の変位が吸収されるので、ハーネスの破損を防止することができる。また、ハーネスの屈曲部を移動体に配することで、装置本体内にハーネスの屈曲部を収容するためのスペースを設ける必要がなくなるので、装置本体を小型化することができる。
【発明の効果】
【０００９】
本発明によれば、移動体の変位に伴うハーネスの破損を防止するとともに、装置本体の小型化を図ることができる。
【図面の簡単な説明】
【００１０】
【図１】本発明の一実施形態に係る複合機を示す説明図である。
【図２】（ａ）〜（ｃ）は、フラットベッドスキャナに対する原稿搬送装置の変位状態を示す説明図である。
【図３】フラットベッドスキャナ上に原稿搬送装置を載置させているときのハーネスの屈曲部周りの構造を示す説明図（ａ）と、原稿搬送装置を上方に移動させたときのハーネスの屈曲部周りの構造を示す説明図（ｂ）である。
【発明を実施するための形態】
【００１１】
次に、本発明の一実施形態に係る画像形成装置の一例としての複合機１について、適宜図面を参照しながら詳細に説明する。なお、以下の説明においては、複合機の使用時におけるユーザを基準にした方向で説明することとする。すなわち、図１においては、右側を「前側（手前側）」、左側を「後側（奥側）」、紙面垂直方向のうち奥側を「右側」、紙面垂直方向のうち手前側を「左側」とする。また、紙面に向かって上下方向を「上下方向」とする。
【００１２】
図１に示すように、複合機１は、プリンタとして機能する装置本体２と、原稿読取装置１００とを備えている。
【００１３】
装置本体２は、用紙Ｐを給紙するためのフィーダ部３や、用紙Ｐに画像を形成するための画像形成部４などを備えている。
【００１４】
フィーダ部３は、装置本体２内の底部に着脱可能に装着される給紙トレイ３１と、用紙Ｐの搬送を行う用紙搬送機構３２を主に備えている。そして、フィーダ部３では、給紙トレイ３１内の用紙Ｐが、用紙搬送機構３２によって画像形成部４に一枚ずつ搬送される。
【００１５】
画像形成部４は、装置本体２内に収容されており、主に、スキャナユニット５、プロセスカートリッジ６、定着器７などを備えている。
【００１６】
スキャナユニット５は、装置本体２内の上部に設けられ、図示しないレーザ発光部、ポリゴンミラー、レンズおよび反射鏡などを備えている。このスキャナユニット５では、レーザビームを、感光ドラム６５の表面上に高速走査にて照射する。
【００１７】
プロセスカートリッジ６は、装置本体２の手前側に設けられたフロントカバー２Ａを適宜開放することで、装置本体２に対して着脱可能となっている。プロセスカートリッジ６内には、主に、現像ローラ６１、層厚規制ブレード６２、供給ローラ６３、トナー収容室６４、アジテータ６４Ａ、感光ドラム６５、スコロトロン型帯電器６６および転写ローラ６７が主に設けられている。
【００１８】
そして、このプロセスカートリッジ６では、トナー収容室６４内のトナーが、アジテータ６４Ａで撹拌された後、供給ローラ６３により現像ローラ６１に供給され、このとき、供給ローラ６３と現像ローラ６１との間で正に摩擦帯電される。現像ローラ６１上に供給されたトナーは、現像ローラ６１の回転に伴って、層厚規制ブレード６２と現像ローラ６１との間に進入し、さらに摩擦帯電されつつ、一定厚さの薄層として現像ローラ６１上に担持される。
【００１９】
一方、回転する感光ドラム６５の表面は、スコロトロン型帯電器６６により一様に正帯電された後、スキャナユニット５からのレーザビームの高速走査により露光される。これにより、露光された部分の電位が下がって、画像データに基づく静電潜像が形成される。
【００２０】
次いで、現像ローラ６１の回転により、現像ローラ６１上に担持されているトナーが、感光ドラム６５の表面上に形成される静電潜像に供給されて、感光ドラム６５の表面上にトナー像が形成される。その後、感光ドラム６５と転写ローラ６７の間で用紙Ｐが搬送されることで、感光ドラム６５の表面に担持されているトナー像が用紙Ｐ上に転写される。
【００２１】
定着器７は、加熱ローラ７１と、加熱ローラ７１と対向して配置され加熱ローラ７１を加圧する加圧ローラ７２とを備えている。そして、このように構成される定着器７では、用紙Ｐ上に転写されたトナーを、用紙Ｐが加熱ローラ７１と加圧ローラ７２との間を通過する間に熱定着させている。なお、定着器７で熱定着された用紙Ｐは、定着器７の下流側に配設される排紙ローラＲに搬送され、この排紙ローラＲから排紙トレイ２１上に送り出される。
【００２２】
ここで、排紙トレイ２１は、装置本体２の上面２Ｂから一段凹みつつ、前方に開口するように形成されている。そして、装置本体２の上面２Ｂには、原稿読取装置１００がオプションとして選択的に装着可能となっている。
【００２３】
＜原稿読取装置＞
原稿読取装置１００は、装置本体２の後側にある最上部（上面２Ｂ）から前方に張り出すように上面２Ｂに固定されており、原稿読取部の一例としてのフラットベッドスキャナ８０と、移動体の一例としての原稿搬送装置９０とを備えて構成されている。
【００２４】
フラットベッドスキャナ８０は、原稿を静置（載置）する原稿台となるプラテンガラス８１と、イメージセンサ８２とを主に備えている。このフラットベッドスキャナ８０では、前後に移動するイメージセンサ８２によって、プラテンガラス８１に静置された原稿を走査しながら読み取ることが可能となっている。また、このフラットベッドスキャナ８０では、原稿搬送装置９０で搬送している原稿Ｍも、イメージセンサ８２によって読み取ることが可能となっている。
【００２５】
原稿搬送装置９０は、待機位置にあるイメージセンサ８２を通るように原稿Ｍを搬送することで、原稿Ｍを搬送しながらイメージセンサ８２で読み取らせる装置であり、フラットベッドスキャナ８０（装置本体２）に対して移動可能（相対的に変位可能）に設けられている。具体的に、原稿搬送装置９０の後側下部には、回動軸９１が設けられ、この回動軸９１が、フラットベッドスキャナ８０の後側上部に設けられる軸受部８３の長孔８３Ａによって回動可能かつ上下動可能に支持されている。
【００２６】
これにより、図２（ａ）に示すように、原稿搬送装置９０を単に回動させると、フラットベッドスキャナ８０の上面が開放されて、プラテンガラス８１上に原稿を載せることが可能となっている。また、図２（ｂ）に示すように、原稿搬送装置９０を回動させつつ上方に持ち上げると、原稿搬送装置９０とフラットベッドスキャナ８０との隙間が大きく空くこととなる。
【００２７】
そのため、図２（ｃ）に示すように、本Ｂを開いた状態でプラテンガラス８１上に載せても、本Ｂの全体を原稿搬送装置９０で上方から押さえ込んで、良好に読取を行うことが可能となっている。
【００２８】
そして、図３（ａ）に示すように、移動可能となる原稿搬送装置９０と、移動不能な装置本体２とは、ハーネス１１０によって電気的に接続されている。具体的には、ハーネス１１０は、原稿搬送装置９０内の搬送ローラ等を駆動させるためのモータ９２と、モータ９２に制御信号を送る装置本体２内の制御基板２２とを電気的に接続させている。より具体的には、ハーネス１１０の一端１１１が、第１接続部の一例としてのモータ９２の接続端子９２Ａに接続され、他端１１２が、第２接続部の一例としての制御基板２２の接続端子２２Ａに接続されている。
【００２９】
そして、ハーネス１１０には、原稿搬送装置９０の変位を吸収するためのＵ字状の屈曲部１１３が形成されている。この屈曲部１１３は、原稿搬送装置９０内に配され、原稿搬送装置９０内のたるみ吸収機構９３によってたるみが吸収されている。たるみ吸収機構９３は、屈曲部１１３が掛け回される滑車９３Ａと、滑車９３Ａを付勢する付勢部材の一例としてのコイルバネ９３Ｂとを備えている。
【００３０】
具体的に、コイルバネ９３Ｂは、滑車９３Ａを吊り下げるように支持しており、図３（ａ）のような原稿搬送装置９０が閉じた状態においては、滑車９３Ａに対して上方へ向かう付勢力を加えることで、ハーネス１１０に適度なテンションを与えて、たるまないようにしている。また、図３（ｂ）に示すように、原稿搬送装置９０を上方に移動させた際には、コイルバネ９３Ｂが伸びることで、装置本体２に対する滑車９３Ａの位置がほとんど変わらず、ハーネス１１０に大きなテンションがかかり過ぎることが防止されている。
【００３１】
また、原稿搬送装置９０には、ハーネス１１０の向きを変えるための案内滑車９４と、ハーネス１１０を原稿搬送装置９０に固定するための第１固定部９５とが設けられている。第１固定部９５は、ハーネス１１０の一端１１１と屈曲部１１３との間の部位を原稿搬送装置９０に固定している。これにより、原稿搬送装置９０を移動させる際にハーネス１１０の屈曲部１１３付近にかかるテンションの影響が、モータ９２の接続端子９２Ａに及ばないので、接続端子９２Ａとハーネス１１０の接続を確実に維持することが可能となっている。
【００３２】
また、フラットベッドスキャナ８０には、ハーネス１１０の他端１１２と屈曲部１１３との間の部位をフラットベッドスキャナ８０（装置本体２に固定される部材）に固定する第２固定部８４が設けられている。これにより、原稿搬送装置９０を移動させる際にハーネス１１０の屈曲部１１３付近にかかるテンションの影響が、制御基板２２の接続端子２２Ａに及ばないので、接続端子２２Ａとハーネス１１０の接続を確実に維持することが可能となっている。
【００３３】
以上によれば、本実施形態において以下のような効果を得ることができる。
ハーネス１１０の屈曲部１１３を原稿搬送装置９０に配することで、制御基板等が密集する装置本体内にハーネスの屈曲部を収容するためのスペースを設ける必要がなくなるので、装置本体２を小型化することができる。そして、このように装置本体２を小型化することで、原稿読取装置１００とは別に装置本体２のみをプリンタとして販売するときには、小型のプリンタとしてユーザに提供することができる。
【００３４】
ハーネス１１０の屈曲部１１３のたるみを吸収するたるみ吸収機構９３を設けたので、屈曲部１１３を単に空間に配置する構造に比べ、屈曲部１１３がたるむことによって他の部位と干渉してハーネス１１０が断線してしまうのを抑えることができる。
【００３５】
たるみ吸収機構９３のコイルバネ９３Ｂによって屈曲部１１３に常に張力を与えることができるので、ハーネス１１０のいずれかの部位がたるんで他の部位と干渉することを防止することができる。また、従来のように屈曲部をＵ字状からＬ字状に屈曲することで変位を吸収する構造では、屈曲部が疲労して断線するおそれがあるが、本実施形態のように滑車９３Ａとコイルバネ９３Ｂを用いた構造では、Ｕ字状の屈曲部１１３の形状を変えずに直線移動させるだけなので、屈曲部１１３の疲労（へたり）を防止することができる。
【００３６】
ハーネス１１０の一端１１１と屈曲部１１３との間の部位を第１固定部９５で原稿搬送装置９０に固定したので、原稿搬送装置９０を移動させる際にハーネス１１０の屈曲部１１３付近にかかるテンションの影響がモータ９２の接続端子９２Ａに及ぶのを抑えることができる。
【００３７】
ハーネス１１０の他端１１２と屈曲部１１３との間の部位を第２固定部８４でフラットベッドスキャナ８０に固定したので、原稿搬送装置９０を移動させる際にハーネス１１０の屈曲部１１３付近にかかるテンションの影響が制御基板２２の接続端子２２Ａに及ぶのを抑えることができる。
【００３８】
なお、本発明は前記実施形態に限定されることなく、以下に例示するように様々な形態で利用できる。
前記実施形態では、移動体としてフラットベッドスキャナ８０に対して変位する原稿搬送装置９０を採用したが、本発明はこれに限定されるものではない。例えば、排紙トレイ２１に排紙した用紙Ｐを手で取りやすいようにフラットベッドスキャナ８０を装置本体２に対して回動可能とした場合には、移動体であるフラットベッドスキャナ８０に、ハーネス１１０の屈曲部１１３を配してもよい。
【００３９】
前記実施形態では、たるみ吸収機構として滑車９３Ａとコイルバネ９３Ｂを有する機構を採用したが、本発明はこれに限定されず、例えばハーネスを巻き取るリールを有する機構を採用してもよい。また、付勢部材としては、コイルバネ９３Ｂに限らず、トーションバネや板バネなどであってもよい。
【００４０】
前記実施形態では、フラットベッドスキャナ８０にハーネス１１０を固定したが、本発明はこれに限定されず、装置本体２にハーネス１１０を固定してもよい。
前記実施形態では、画像形成部として、レーザを用いたものを採用したが、本発明はこれに限定されず、例えばＬＥＤを用いたものを採用してもよい。
【００４１】
前記実施形態では、原稿読取装置１００を備える複合機１に本発明を適用したが、本発明はこれに限定されず、その他の画像形成装置、例えば複写機やフラットベットスキャナのみを有する複合機などに本発明を適用してもよい。
前記実施形態においては、原稿搬送装置９０の原稿搬送方向と装置本体２の排紙トレイ２１への排紙方向が略平行（略前後方向）となる複合機に対して本発明を適用したが、原稿搬送方向と排紙方向が左右前後に直交するように原稿読取装置を配した構成にも本発明を適用することができる。その場合、原稿読取装置の装置本体に対する回動軸は、装置本体の左右端や後端に適宜配置できるが、回動軸をどのように配置した場合であっても、回動軸側にたるみ吸収機構を設けることで、ハーネスの長さを最短とすることができるので好ましい。
【符号の説明】
【００４２】
１      複合機
２      装置本体
４      画像形成部
２２    制御基板
２２Ａ  接続端子
８０    フラットベッドスキャナ
８３    軸受部
８３Ａ  長孔
８４    第２固定部
９０    原稿搬送装置
９１    回動軸
９２    モータ
９２Ａ  接続端子
９３    たるみ吸収機構
９３Ａ  滑車
９３Ｂ  コイルバネ
９５    第１固定部
１００  原稿読取装置
１１０  ハーネス
１１１  一端
１１２  他端
１１３  屈曲部
【図１】
2011007891.tif 000003
【図２】
2011007891.tif 000004
【図３】
2011007891.tif 000005